(57)【要約】【課題】  蓋のカメラ本体に対するロックを強固にする。【解決手段】  カメラ本体の一部を開閉するカメラの開閉蓋において、カメラ本体の回動軸に回動可能に軸支された蓋本体２１と、蓋本体２１の回動軸方向の中央部から外れた位置において蓋本体２１に回動可能に軸支され、回動によりロック状態とアンロック状態とをとり得るロックレバー２２と、ロックレバー２２をロック状態に向けて付勢するばね部材２３とを備える。ロックレバー２２は、ロック状態においてカメラ本体の係合部に係合することで蓋をロックするロック爪２２ａと、ロック爪２２ａの係合を解除すべくロックレバーをアンロック状態に操作するための操作部２２ｃとを一体に有し、ロック爪２２ａは、蓋本体の回動軸方向の略中央部に位置し、ロック爪２２ａの近傍においてロックレバー２２がばね部材２３の付勢力を受ける。【選択図】        図５
2005164932.tif 000002
【特許請求の範囲】
【請求項１】
カメラ本体の一部を開閉するカメラの開閉蓋において、
カメラ本体の回動軸に回動可能に軸支された蓋本体と、
該蓋本体の前記回動軸方向の中央部から外れた位置において蓋本体に回動可能に軸支され、回動によりロック状態とアンロック状態とをとり得るロックレバーと、
該ロックレバーをロック状態に向けて付勢するばね部材とを備え、
前記ロックレバーは、前記ロック状態においてカメラ本体の係合部に係合することで蓋をロックするロック爪と、該ロック爪の係合を解除すべくロックレバーをアンロック状態に操作するための操作部とを一体に有し、前記ロック爪は、前記蓋本体の前記回動軸方向の略中央部に位置し、該ロック爪の近傍において前記ロックレバーが前記ばね部材の付勢力を受けるよう構成したことを特徴とするカメラの開閉蓋。
【請求項２】
前記ばね部材は、蓋本体のに突設された支持軸に支持されたねじりばねであることを特徴とする請求項１に記載のカメラの開閉蓋。
【請求項３】
前記操作部は、前記ロック爪と前記ロックレバーの回動軸との間に設けられていることを特徴とする請求項１または２に記載のカメラの開閉蓋。
【請求項４】
前記ロック爪は、カメラ本体への係合方向に対して互いに逆方向に傾斜する第１，第２の斜面を有し、前記蓋本体の閉動作時に前記第１の斜面がカメラ本体から力を受けてロックレバーをアンロック状態に向けて回動させ、蓋本体が閉じられると前記ばねの付勢力によりロックレバーがロック状態に回動し、前記カメラ本体の係合部壁面が前記第２の斜面を受けることでロック状態を保持するよう構成したことを特徴とする請求項１〜３のいずれかに記載のカメラの開閉蓋。
【発明の詳細な説明】
【技術分野】
【０００１】
本発明は、カメラ本体の一部を開閉するカメラの開閉蓋に関し、蓋のロック機構を工夫したものである。
【背景技術】
【０００２】
一般にデジタルスチルカメラはカードスロットを有し、ここに装填されたメモリカードに画像データを記録する。メモリカード以外に通信カード等が装填可能なものもある。カードスロットは、通常は蓋によって覆われ、カードの挿脱にあたって蓋が開放される（例えば、特許文献１参照）。
【０００３】
【特許文献１】特開２０００−１６５７１４号公報
【発明の開示】
【発明が解決しようとする課題】
【０００４】
上記のようなカード蓋は、カメラ使用時に不所望に開放しないよう強固にロックされる必要があるが、蓋内の狭いスペースに強力なロック機構を設けるのが難しい。
【課題を解決するための手段】
【０００５】
本発明は、カメラ本体の一部を開閉するカメラの開閉蓋に適用され、カメラ本体の回動軸に回動可能に軸支された蓋本体と、蓋本体の回動軸方向の中央部から外れた位置において蓋本体に回動可能に軸支され、回動によりロック状態とアンロック状態とをとり得るロックレバーと、ロックレバーをロック状態に向けて付勢するばね部材とを備える。ロックレバーは、ロック状態においてカメラ本体の係合部に係合することで蓋をロックするロック爪と、ロック爪の係合を解除すべくロックレバーをアンロック状態に操作するための操作部とを一体に有し、ロック爪は、蓋本体の回動軸方向の略中央部に位置し、ロック爪の近傍においてロックレバーがばね部材の付勢力を受けるよう構成する。
請求項２の発明は、ばね部材として、蓋本体の軸に支持されたねじりばねを用いたものである。
請求項３の発明は、操作部をロック爪とロックレバーの回動軸との間に設けたものである。
請求項４の発明は、ロック爪にカメラ本体への係合方向に対して互いに逆方向に傾斜する第１，第２の斜面を設け、蓋本体の閉動作時に第１の斜面がカメラ本体から力を受けてロックレバーをアンロック状態に向けて回動させ、蓋本体が閉じられるとばねの付勢力によりロックレバーがロック状態に回動し、カメラ本体の係合部壁面が第２の斜面を受けることでロック状態を保持するよう構成したものである。
【発明の効果】
【０００６】
本発明によれば、ロックレバーを蓋本体の回動軸方向の中央部から外れた位置において蓋本体に回動可能に軸支し、ロックレバーをばね部材によりロック状態に向けて付勢するとともに、ロックレバーのロック爪を蓋本体の回動軸方向の略中央部に設け、さらにロック爪の近傍においてロックレバーにばね部材の付勢力が加わるようにしたので、ばね部材の力量を条件に応じて調節することができるのに加えて、ロック爪のストロークを大きくでき、狭い配置スペースで蓋の強固なロックが可能となる。またロック爪を蓋の中央部に配置することで蓋の部分的な浮き上がりが防止できる。
【発明を実施するための最良の形態】
【０００７】
図面を参照して本発明の一実施の形態を説明する。
図１は本実施形態における電子カメラを背面から見た図である。カメラ本体１０はカードスロット１１を有し、ここに不図示のメモリカードをカメラ背面から挿脱するようになっている。カードスロット１１を露出／隠蔽する蓋２０は、カメラ本体１０の軸部１２を中心として回動式に開閉し、軸部１２に設けたねじりばね１３により常に開方向に付勢されている。したがって、蓋２０に閉じ方向の力が加わらない限りは、図示の如く蓋２０は開状態に保持される。図の１０ａはカメラ背面カバー、１５はメモリカードをカードスロット１１から取り出すためのイジェクトボタン、１６は液晶モニタである。
【０００８】
図２〜図９により蓋２０の構造を説明する。
図２は蓋２０の外面を示す図、図３は図２から外カバー２１ａを取り去った状態を示す図、図４は図３のIV−IV線断面図である。図のＸは蓋２０の回動軸（軸部１２の中心）を示している。蓋本体２１の内部には、ロックレバー２２が上下に延在するように設けられている。ロックレバー２２の下端部は、上記外カバー２１ａに突設された軸部２１ｂに回動可能に軸支され、これによりロックレバー２２は、図５（ａ）に示すロック位置と、図５（ｂ）に示すアンロック位置との間で回動する。
【０００９】
ロックレバー２２の上端には、ロック爪２２ａおよびばね掛け部２２ｂが一体に設けられ、ばね掛け部２２ｂには、外カバー２１ａの軸部２１ｃに支持されたねじりばね２３の一端が掛止されている。このばね２３の付勢力により、ロックレバー２２は常にロック位置に向けて付勢され、通常はロック位置を保持する。
【００１０】
ロック爪２２ａは、蓋本体２１の縦方向（Ｘ軸方向）のほぼ中央に位置し、ロックレバー２２がロック位置にあるときには蓋本体２１の端部から外方に突出し、ロック解除位置にあるときには蓋本体２１内に退避する。ロック爪２２ａの先端部は、図６，図９に示すように互いに逆方向の斜面Ｐ１，Ｐ２が形成され、その斜面部分がカメラ背面カバー１０ａの係合部１０ｂに係合することで蓋２０を閉位置にロックする。
【００１１】
ロックレバー２２の下端支持部とロック爪２２ａとの間には、ロックレバー２２をアンロック位置に操作するための操作部２２ｃが一体に設けられている。操作部２２ｃは、図４，図７に示すように蓋本体２１から背面側に立ち上がり、操作し易いよう構成されている。上記ロックレバー２２やねじりばね２３は、蓋本体２１の裏面側から本体２１内に組み込まれ、裏面に押さえ板２４（図８）を螺着することで保持される。
【００１２】
以上の構成において、閉状態にある蓋２０を開けるには、ロックレバー２２の操作部２２ｃを図５のＡ方向に押す。上述したように操作部２２ｃは背面側に立ち上がっており、しかもカメラ背面カバー１０ａには、操作部２２ｃの位置に窪み１４（図１，図７）が設けられているので、操作部２２ｃを押し易くなっている。操作部２２ｃを押すことで、ロックレバー２２がねじりばね２３の付勢力に抗して図５の時計回りに回動し、図５（ｂ）の姿勢に至る。これによりロック爪２２ａがカメラ背面カバー１０ａの係合部１０ｂから退避してロックが解除されるので、蓋２０は軸部１２に設けたねじりばね１３の付勢力によって開く。操作部２２ｃの押圧力を解除すると、ばね２３の付勢力によりロックレバー２２はロック位置に戻る。
【００１３】
蓋２０を閉じる際には、ばね１３の付勢力に抗して蓋２０を閉方向に回動させる。ロックレバー２２はロック位置にあるので、蓋本体１２から突出したロック爪２２ａの斜面Ｐ１が背面カバー１０ａの角部１０ｃ（図９）に当接し、なおも蓋２０を押し込むと、ロック爪２２ａは斜面Ｐ１を介してアンロック方向の力を受ける。この力により、ロックレバー２２はねじりばね２３の付勢力に抗してアンロック位置に回動し、ロック爪２２ａが蓋本体２１内に退避することで、蓋２０を完全に閉じることができる。蓋２０が完全に閉じられると、ロック爪２２ａのアンロック方向の力が解除されるので、ロックレバー２２がねじりばね２３の付勢力によりロック位置に回動し、ロック爪２２ａが突出する。そして、ロック爪２２ａの斜面Ｐ２が係合部１０ｂに当接することで蓋２０の回動が阻止され、ロック状態が維持される。
【００１４】
以上のように本実施形態では、ロック爪２２ａを有するロックレバー２２を蓋本体２１内に回動可能に支持し、これを別に設けたねじりばね２３でロック位置に付勢するようにしたので、ロックレバー２２に大きな付勢力を与えることができる。またロックレバー２２の回動軸部を蓋２０の下部に、ロック爪２２ａを中央位置にそれぞれ配置することで、ロック爪２２ａのストローク量を最大限に大きくできる。したがって、蓋２０の強固なロックが可能となり、ユーザが蓋２０を閉じ位置に押し込む際にしっかりとした手応えを感じることができ、ユーザに安心感を与えることができる。特にロックレバー２２のうちロック爪２２ａの近傍をばね２３で付勢する構成のため、例えば回動軸部にばねを配する場合と比べて強く付勢できる。さらに、ばねの材質やその他の条件に応じてねじりばねの力量を調節できる（ばねを選べる）ので、いかなる条件においても適度な付勢力を発揮させることが可能となる。またロックレバー２２とねじりばね２３を蓋２０の上下方向に並べて配置したので、蓋本体２１の厚さを厚くせずに済む。
【００１５】
さらに、ロックレバー２２のロック爪２２ａを蓋２０の上下方向のほぼ中央に配置することで、閉じ位置にある蓋２０ががたつくことはない。因みに、ロック爪２２ａを上（下）に片寄って配置した場合には、蓋２０の下（上）が浮き上がるおそれがある。さらに、ロックレバー２２をアンロック位置にもたらすための操作部２２ｃを回動軸部とロック爪２２ａとの間に設けたので、ロック爪２２ａのストロークを大きくしても操作部２２ａのストロークは小さくて済み、操作性が向上する。
【００１６】
また本実施形態では、ロック爪２２ａに斜面Ｐ２を設けることで、斜面Ｐ１がカメラ本体１０ａの角部１０ｃに当接してからロックされるまでの距離（図９のｄ）を短くでき、ロック爪２２ａが係合部１０ｂに係合され易くなる。因みに図１０のように斜面Ｐ２を設けないと、距離ｄが長くなり、ロック爪が係合部に至らない状態で止まってしまい、これをロックされたものと勘違いする可能性が高くなる。
【００１７】
次に、本実施形態のイジェクトボタン１５について説明する。
図１において、イジェクトボタン１５は、カードスロット１１にメモリカードが装填されているときにはカメラ背面側に突出しており、カードを取り出すべくイジェクトボタン１５を押圧すると、イジェクトボタン１５に連結されたイジェクト機構がカードを取出可能な位置まで突出させ、イジェクトボタン１５は押し込まれた状態を維持する。イジェクト機構の移動を案内するガイド機構にはガタが設けられており、そのガタの分だけイジェクトボタン１５は揺動可能とされ、突出状態のときと押し込み状態のときとでボタン１５の傾き（図１の紙面内での傾き）が僅かではあるが変わってしまう。一般的なデジタルカメラでは、図１１のようにイジェクトボタン１５０が矩形形状であるため、上述したようなボタンの傾きが目立つという問題がある。つまり、押し込み状態のときには図１１（ａ）のように正姿勢を保っていても、突出状態になると、図１１（ｂ）または（ｃ）のようにボタンの各辺がカメラ本体の縦方向、横方向に対して傾き、見栄えを損なう。
【００１８】
そこで本実施形態では、イジェクトボタン１５を完全な矩形ではなく、図１２のようにイジェクトボタンの各辺にＲを持たせた形状とした。Ｒを設けることで、矩形のときと比べてボタンの傾きを目立たなくすることができ、見栄えの低下を抑制できる。図１３〜図１６は他の例を示し、例えば図１６のようにイジェクトボタンを多角形形状としてもよい。特にボタンの傾きは、ボタン形状が上下および左右方向の双方に対称であると目立つので、対称性を崩した形状がよい。
【００１９】
なお、ロックレバー２２の回動軸部を蓋の下部に設けたが、上部でもよい。またねじりばね２３は回動軸部に設けてもよい。さらにねじりばねに代えてコイルばねで付勢してもよいが、ねじりばねの方がスペースをとらずに済む。また蓋２０をカメラ背面に設けた例を示したが、その他の位置（例えば、カメラ側面）でもよい。さらにメモリカード以外（例えば、通信カード）のカードスロットを開閉する蓋でもよい。またカードスロットの蓋以外に、電池蓋やコネクタ部の蓋にも本発明を適用できる。
【図面の簡単な説明】
【００２０】
【図１】一実施形態におけるカメラを背面側から見た図。
【図２】蓋の外面を示す図。
【図３】図２の蓋の外カバーを取り去った状態を示す図。
【図４】図３のIV−IV線断面図。
【図５】ロックレバーの構造および動きを説明する図。
【図６】図３のVI−VI線断面図。
【図７】図３のVII−VII線断面図。
【図８】図４のVIII−VIII線断面図。
【図９】ロック爪の形状および機能を説明する拡大図。
【図１０】他の形状のロック爪を用いた場合の問題点を説明する図。
【図１１】矩形のイジェクトボタンを用いた場合の問題点を説明する図で、（ａ）は押し込み状態を、（ｂ），（ｃ）は突出状態を示す。
【図１２】本実施形態におけるイジェクトボタンの形状を説明する図で、（ａ）は押し込み状態を、（ｂ），（ｃ）は突出状態を示す。
【図１３】他の実施形態におけるイジェクトボタンの形状を説明する図で、（ａ）は押し込み状態を、（ｂ），（ｃ）は突出状態を示す。
【図１４】さらに他の実施形態におけるイジェクトボタンの形状を説明する図で、（ａ）は押し込み状態を、（ｂ），（ｃ）は突出状態を示す。
【図１５】さらに他の実施形態におけるイジェクトボタンの形状を説明する図で、（ａ）は押し込み状態を、（ｂ），（ｃ）は突出状態を示す。
【図１６】さらに他の実施形態におけるイジェクトボタンの形状を説明する図で、（ａ）は押し込み状態を、（ｂ），（ｃ）は突出状態を示す。
【符号の説明】
【００２１】
１０  カメラ本体
１０ａ  カメラ背面カバー
１０ｂ  係合部
１１  カードスロット
１２  蓋の回動軸部
２０  蓋
２１  蓋本体
２１ａ  外カバー
２２  ロックレバー
２２ａ  ロック爪
２２ｃ  操作部
２３  ねじりばね
Ｐ１，Ｐ２  斜面
【図１】
2005164932.tif 000003
【図２】
2005164932.tif 000004
【図３】
2005164932.tif 000005
【図４】
2005164932.tif 000006
【図５】
2005164932.tif 000007
【図６】
2005164932.tif 000008
【図７】
2005164932.tif 000009
【図８】
2005164932.tif 000010
【図９】
2005164932.tif 000011
【図１０】
2005164932.tif 000012
【図１１】
2005164932.tif 000013
【図１２】
2005164932.tif 000014
【図１３】
2005164932.tif 000015
【図１４】
2005164932.tif 000016
【図１５】
2005164932.tif 000017
【図１６】
2005164932.tif 000018